(57)【特許請求の範囲】
【請求項１】
映像データと音声データとを格納する不揮発性のランダムアクセス記憶装置と、
該ランダムアクセス記憶装置に対して外部のビデオテープレコーダ（ＶＴＲ）から映像データおよび音声データをレコードとして収録する収録手段と、
前記ランダムアクセス記憶装置に格納されている映像データおよび音声データから切り出された複数のカットシーンの各々の開始位置および終了位置を表わすシーン特定情報からなるプレイリストを作成するプレイリスト作成手段と、
前記ランダムアクセス記憶装置に格納されたレコードを再生する内部再生手段と、
外部のモニタへ出力する信号として、前記ＶＴＲの再生出力と前記内部再生手段の再生出力とを切り替える切替手段と、
ユーザの指示に応じて、前記ＶＴＲ、収録手段、プレイリスト作成手段、内部再生手段および切替手段を制御する制御手段とを備え、
該制御手段は、前記ＶＴＲから順次複数のシーンを収録する際、
ユーザの操作に応じて前記ＶＴＲを可変速再生するとともに該再生出力を前記外部のモニタへ出力するよう前記切替手段を制御し、
ユーザによる第１のシーンの範囲の指定を受けてその第１のシーンの収録を実行するよう前記ＶＴＲおよび前記収録手段を制御して、当該第１のシーンのデータを含むレコードを前記ランダムアクセス記憶装置に格納し、
かつ、第１のシーンのシーン特定情報をプレイリストに追加するよう前記プレイリスト作成手段を制御し、
前記第１のシーンの収録が完了した後も前記ＶＴＲからの前記収録を継続して前記レコードの長さを伸張していくとともに、前記レコードに基づく前記内部再生手段の再生出力を前記外部のモニタへ出力するよう前記切替手段を制御し、
以後、後続の他のシーンの収録がユーザにより指示されたときそのシーンが前記レコード内にある限り、そのシーンの収録を再度行うことなく、そのシーンの特定情報を前記プレイリストに追加するよう前記プレイリスト作成手段を制御する
ことを特徴とするノンリニア映像編集システム。
【請求項２】
前記制御手段は、
前記レコードの収録を継続している間に、ユーザが新たな収録対象のシーンを探す際に前記レコードの最新収録位置を超えるような再生操作があったとき、前記レコードの収録を停止するとともに、前記ＶＴＲを再生制御してその再生出力を前記外部のモニタへ出力するように前記切替手段を制御し、ユーザの指示に従って前記ＶＴＲから新たなシーンの収録を行って新たなレコードを前記ランダムアクセス記憶装置に追加するとともに、この新たなシーンのシーン特定情報をプレイリストに追加するよう前記プレイリスト作成手段を制御し、
その後、当該新たなシーンの収録が完了しても前記ＶＴＲから前記収録を継続して前記新たなレコードの長さを伸張していくとともに、前記新たなレコードに基づく前記内部再生手段の再生出力を前記外部のモニタへ出力するよう前記切替手段を制御し、
以後、後続のさらに他のシーンの収録がユーザにより指示されたときそのシーンが前記新たなレコード内にある限り、そのシーンの収録を再度行うことなく、そのシーンの特定情報を前記プレイリストに追加するよう前記プレイリスト作成手段を制御する
ことを特徴とする請求項１記載のノンリニア映像編集システム。
【請求項３】
前記制御手段は、前記ビデオテープレコーダの再生出力の収録を、前記指定範囲の開始位置より予め指定された時間だけ前の位置から開始することを特徴とする請求項１または２記載のノンリニア映像編集システム。
【請求項４】
ユーザによる前記内部再生手段の再生操作方法を、前記外部のＶＴＲの再生操作方法と共通にしたことを特徴とする請求項１または２記載のノンリニア映像編集システム。
【発明の詳細な説明】
【０００１】
【発明の属する技術分野】
本発明は、テレビジョン放送に使用する映像編集システムに係り、特に、ランダムアクセスが可能な不揮発性のデジタルデータ記憶装置を用いたノンリニア映像編集システムに関する。
【０００２】
【従来の技術】
従来、映像編集システムとして、長らくビデオテープレコーダ（ＶＴＲ）が使用されてきた。ＶＴＲは、その記録媒体としてシーケンシャルアクセスを行う磁気テープを用いるため、あるシーンを録画した直後に、そのシーンを再生したいような場合に、テープ巻き戻しに伴う待ち時間が発生し、迅速な応答が困難であった。また、録画済みの映像の編集の際にも迅速な編集を行うには、シーケンシャルアクセスおよび低速な記録再生速度が支障となった。
【０００３】
【発明が解決しようとする課題】
これに対して、近年、映像のデータ圧縮技術の進歩と相俟って、磁気ディスク装置（ハードディスク装置）のようなより高速なランダムアクセスの可能な記憶媒体を利用したいわゆるノンリニア映像編集システムが使用され始めている。
【０００４】
ノンリニア映像編集システムにおいては、外部ＶＴＲや回線から一旦デジタイズしてディスク内に取り込んだ映像データについては、タイムラインと呼ばれる編集機能を用いて、迅速に、そのディスク内の映像の任意のシーンを切り出して組み合わせることにより、いわゆるカット編集を行うことができる。この際のシーンの「切り出し」は実際の映像データの複写を行う訳ではなく、単に、元の映像データの部分であるシーンを特定する情報、すなわちディスク上でのそのシーンの開始位置および終了位置の情報（通常、アドレス情報）を保持することにより、等価的に映像データの複写が行える。編集結果の再生時には、このシーン特定情報を参照して、元の映像データの対応する範囲の内容をディスクから読み出すことにより、再生が行われる。タイムライン上でのこのようなカットシーンを時系列に並べた映像データはパッケージと呼ばれる。したがって、一旦ディスクに取り込まれた映像データからカット編集を行うことは、極めて迅速かつ容易に実現される。
【０００５】
外部から映像信号をデジタル化してディスク内に取り込むことを収録と呼ぶ。外部ＶＴＲから収録を行う１つの方式として、その映像信号全体を連続的にデジタイズするベタ収録編集方式がある。ベタ収録の場合には、ユーザは、デジタイズの指示を行った後は、他の作業に取りかかることができるが、収録が完了するまで、内部に取り込まれた映像データに基づいてシーンのカット編集を行うことができなかった。しかし、一旦収録が完了した後は、上記のシーンを特定する情報を操作するのみで編集を行うことができ、もはやデジタイズの時間は必要とされない。
【０００６】
これに対して、ユーザが外部ＶＴＲを操作して必要な映像部分を見つけながら、それらの部分のみをリアルタイムに収録していくリアルタイム収録編集方式がある。この場合、必要な部分のみを確認しながらディスク内に映像データを格納するので、ディスクの容量を無駄に使用することが避けられ、また、不要な部分は早送りして飛ばすことができ、収録の終了時にパッケージも出来上がっている、という利点がある。しかし、取り込み対象のシーンについては、それを収録している間は、ノンリニア映像編集装置といえども、その時間を短縮することはできない。編集に要する総時間には、このシーンのデジタイズに要する時間（再生時間と同じ）の他に、ユーザが外部ＶＴＲの再生映像を確認しながら収録の対象となるシーンを探索する時間も含まれる。したがって、何箇所ものシーンを収録してパッケージを作成する場合には、シーンの探索時の操作および考慮の時間と、実際の各シーンの収録時間との総和が、編集に必要な総時間となる。特に迅速な編集が必要とされるニュース編集等の用途においては、この編集時間は極力短縮することが望ましい。
【０００７】
本発明は、このような問題点に鑑みてなされたものであり、その目的とするところは、外部ＶＴＲからのリアルタイム収録編集方式とベタ収録編集方式とを自動的に切り替えることにより、編集に要する総時間を短縮することができるノンリニア映像編集システムを提供することにある。
【０００８】
【課題を解決するための手段】
本発明によるノンリニア映像編集システムは、映像データと音声データとを格納する不揮発性のランダムアクセス記憶装置と、該ランダムアクセス記憶装置に対して外部のビデオテープレコーダ（ＶＴＲ）から映像データおよび音声データをレコードとして収録する収録手段と、前記ランダムアクセス記憶装置に格納されている映像データおよび音声データから切り出された複数のカットシーンの各々の開始位置および終了位置を表わすシーン特定情報からなるプレイリストを作成するプレイリスト作成手段と、前記ランダムアクセス記憶装置に格納されたレコードを再生する内部再生手段と、外部のモニタへ出力する信号として、前記ＶＴＲの再生出力と前記内部再生手段の再生出力とを切り替える切替手段と、ユーザの指示に応じて、前記ＶＴＲ、収録手段、プレイリスト作成手段、内部再生手段および切替手段を制御する制御手段とを備え、該制御手段は、前記ＶＴＲから順次複数のシーンを収録する際、ユーザの操作に応じて前記ＶＴＲを可変速再生するとともに該再生出力を前記外部のモニタへ出力するよう前記切替手段を制御し、ユーザによる第１のシーンの範囲の指定を受けてその第１のシーンの収録を実行するよう前記ＶＴＲおよび前記収録手段を制御して、当該第１のシーンのデータを含むレコードを前記ランダムアクセス記憶装置に格納し、かつ、第１のシーンのシーン特定情報をプレイリストに追加するよう前記プレイリスト作成手段を制御し、前記第１のシーンの収録が完了した後も前記ＶＴＲからの前記収録を継続して前記レコードの長さを伸張していくとともに、前記レコードに基づく前記内部再生手段の再生出力を前記外部のモニタへ出力するよう前記切替手段を制御し、以後、後続の他のシーンの収録がユーザにより指示されたときそのシーンが前記レコード内にある限り、そのシーンの収録を再度行うことなく、そのシーンの特定情報を前記プレイリストに追加するよう前記プレイリスト作成手段を制御することを特徴とする。
【０００９】
この構成により、外部ＶＴＲからのリアルタイム収録編集方式とベタ収録編集方式とを自動的に効果的に切り替えることができ、その結果、編集に要する総時間を短縮することができる。
【００１０】
なお、編集結果の再生時には、タイムライン再生手段によりプレイリストに基づいて前記複数のカットシーンがランダムアクセス記憶装置から順次的に読み出されて再生される。
【００１１】
上記の制御手段の処理方式の切替は反復的に実行することができる。すなわち、前記制御手段は、前記レコードの収録を継続している間に、ユーザが新たな収録対象のシーンを探す際に前記レコードの最新収録位置を超えるような再生操作があったとき、前記レコードの収録を停止するとともに、前記ＶＴＲを再生制御してその再生出力を前記外部のモニタへ出力するように前記切替手段を制御し、ユーザの指示に従って前記ＶＴＲから新たなシーンの収録を行って新たなレコードを前記ランダムアクセス記憶装置に追加するとともに、この新たなシーンのシーン特定情報をプレイリストに追加するよう前記プレイリスト作成手段を制御し、その後、当該新たなシーンの収録が完了しても前記ＶＴＲから前記収録を継続して前記新たなレコードの長さを伸張していくとともに、前記新たなレコードに基づく前記内部再生手段の再生出力を前記外部のモニタへ出力するよう前記切替手段を制御し、以後、後続のさらに他のシーンの収録がユーザにより指示されたときそのシーンが前記新たなレコード内にある限り、そのシーンの収録を再度行うことなく、そのシーンの特定情報を前記プレイリストに追加するよう前記プレイリスト作成手段を制御する。
【００１２】
前記制御手段は、前記ビデオテープレコーダの再生出力の収録を、前記指定範囲の開始位置より予め指定された時間だけ前の位置から開始することが好ましい。これにより、シーンの前にのりしろが設けられ、後に編集点を移動するような際に空白シーンが生じるのを防止することができる。
【００１３】
ユーザによる前記内部再生手段の再生操作方法は、前記外部のＶＴＲの再生操作方法と共通にすることが望ましい。これにより、ユーザは、操作の対象の違いを意識することなく、同一の再生操作で操作が行える。
【００１４】
【発明の実施の形態】
以下、本発明の具体的な実施の形態について、図面により詳細に説明する。
【００１５】
まず、図１に本発明が適用されたノンリニア映像編集システムの全体の概略構成を示す。このシステムは、中心にデジタル録画再生装置１０を有する。デジタル録画再生装置１０は、映像（ビデオ）データおよび音声（オーディオ）データをデジタル的に記憶する不揮発性のランダムアクセス記憶装置１４０を内蔵する。本実施の形態では、ランダムアクセス記憶装置１４０として、ハードディスク装置を用いる。デジタル録画再生装置１０の前段には、複数台のＶＴＲを接続できるセレクタ４を有する。また、電波による映像データを受信する受信装置（図ではマイクロ波受信装置を模擬的にパラボラアンテナで示している）も接続できる。セレクタ４の出力映像および受信装置の出力映像はそれぞれモニタ６ｃ，６ｄで監視することができる。セレクタ４はデジタル録画再生装置１０により制御される。デジタル録画再生装置１０の後段には、２系統の出力およびセレクタ４の出力を選択的に切替出力するスイッチャ８およびこの出力に加工を施すためのスーパー・モザイク装置１９１およびオーディオフェーダ１９２が配置されている。デジタル録画再生装置１０の２系統の出力映像はそれぞれモニタ６ａ，６ｂで監視できるようになっている。なお、これらのモニタ６ａ〜６ｄの全てが必須のものではない。また、スーパー・モザイク装置１９１およびオーディオフェーダ１９２も映像や音声の加工が必要な場合に用いればよい。
【００１６】
デジタル録画再生装置１０には、キーボード１４、マウス１６、およびディスプレイ１２が接続される。マウス１６の代わりにトラックボール等の任意のポインティングデバイスを用いることも可能である。ディスプレイ１２、キーボード１４およびマウス１６は、ＧＵＩ（Ｇｒａｐｈｉｃ  Ｕｓｅｒ  Ｉｎｔｅｒｆａｃｅ）を援助するための装置であり、収録、編集および再生等の各種操作を表示ディスプレイ画面上で対話的に行うためのものである。
【００１７】
さらに、デジタル録画再生装置１０には操作コントローラ（操作部）１８が接続される。ユーザは、後述するプロセッサの制御下で、操作コントローラ１８により、デジタル録画再生装置１０、スイッチャ８、スーパー・モザイク装置１９１、オーディオフェーダ１９２、外部ＶＴＲ等を操作することができる。操作コントローラ１８においても、マウス１６やキーボード１４を用いたＧＵＩによる操作と殆ど同じ操作を行うことができる。操作コントローラ１８特有の操作としては、ジョグ・シャトルダイアル１８ａによる再生速度の可変制御が可能である。このダイヤル１８ａの機能については後述する。
【００１８】
デジタル録画再生装置１０は、内部にランダムアクセス記憶装置１４０の他、後述するリソース１７１〜１７４を内蔵するとともに、ワイプ、ディゾルブ等の効果を実現するためのミックスエフェクト（Ｍ／Ｅ）カード１８０を内蔵している。
【００１９】
図２に、デジタル録画再生装置１０のハードウエア構成を示す。
【００２０】
デジタル録画再生装置１０には、本例では、１７スロットのＥＩＳＡバス１１０と、１２スロットのデジタルビデオバス（ＣＣＩＲ６０１）１３０を備えている。ＥＩＳＡバス１２５のスロットには、プロセッサカード１２１、ディスプレイコントローラカード１２２、ＲＳ４２２インタフェースカード１２５が装着される。また、カードによっては、ＥＩＳＡバス１２５およびデジタルビデオバス１３０の両スロットにまたがって装着される。図示の例では、このようなカードは、ゲンロックリファレンスカード１２４、ディスクコントローラカード１２３、ビデオ入力インタフェースカード１２６、ビデオ出力インタフェースカード１２７、およびオーディオ入出力インタフェースカード１２８である。
【００２１】
プロセッサカード１２１には、マイクロプロセッサ、ＲＡＭ、入出力インタフェース等が搭載されている。このプロセッサカード１２１には、システム用のハードディスクドライブ１６０およびフロッピーディスク（フレキシブルディスク）ドライブ１５０が接続され、さらにキーボード１４及びマウス１６が接続される。ディスプレイコントローラカード１２２にはディスプレイコントローラが搭載され、ディスプレイ１２の表示動作を制御する。
【００２２】
ビデオ入力インタフェースカード１２６には、外部ＶＴＲからのビデオ入力が接続され、ビデオ出力インタフェースカード１２７から外部のモニタへのビデオ信号が出力される。また、オーディオ入出力インタフェースカード１２８では、外部ＶＴＲからのオーディオ入力および外部のスピーカへのオーディオ出力のインタフェースがとられる。これらの入出力インタフェースカードは増設することができる。
【００２３】
デジタルビデオバス１３０には、入出力ビデオ信号を切り替えるビデオルータ１３３を内蔵している。ビデオルータ１３３は、プロセッサの制御下で、この例では、３２入力の任意の入力を３２出力の任意の出力へ切り替えることができる。
【００２４】
ディスクコントローラボード１２３は、ビデオ用ハードディスクドライブ（ランダムアクセス記憶装置）１４０を制御する。この例では、ＳＣＳＩ−２ＦＡＳＴ／ＷＩＤＥバス１３５を介して４．２Ｇバイトのハードディスクを複数台（図の例では４台：計１６．８Ｇバイト）制御している。ディスクコントローラボード１２３およびハードディスクドライブ（以下、単にディスクともいう）１４０は複数組増設することもできる。
【００２５】
ゲンロックリファレンスインタフェースカード１２４には、内部クロックを外部の通常のＮＴＳＣまたはＰＡＬのブラックバースト信号にロックするためのものである。ＲＳ４２２インタフェースカード１２５は、操作コントローラ１８を接続するためのインタフェースを提供する。
【００２６】
図３に、ディスクコントローラカード１２３に搭載されるディスクコントローラ１２３ａの構成を示す。これは、図２において、ディスクコントローラカード１２３を２枚実装した場合に相当する。１つのディスクコントローラ１２３ａには、２つのチャンネルのために２個のＪＰＥＧ(Joint Photographic Expert Group)圧縮／伸張チップ１２３ｂ，１２３ｃを有している。より長時間の映像信号の収録のために、本例では、モーションＪＰＥＧ圧縮技術を利用し、映像を圧縮してハードディスクに格納する。各チップには、１本のビデオ入出力チャンネルと、４本のオーディオ入出力チャンネルがあり、入力ビデオ信号およびオーディオ信号を圧縮してディスクに格納するとともに、この圧縮格納情報を伸張して出力することができる。
【００２７】
本システムでは、図４に示すように、おのおのレコーダまたはプレーヤとして機能しうる複数（ここでは４個）の物理的なリソース（ＪＰＥＧ圧縮伸張部）１７１〜１７４を有する。これら４個のリソースはそれぞれＡチャンネル〜Ｄチャンネルに対応し、また、これらのリソースの個数は、図３に示した圧縮／伸張チップの個数に対応する。ユーザの目的に応じてこれらのリソースを収録／再生あるいは編集等の異なる機能に割り当てることができる。本システムでは、このような論理的なビデオレコーダ（プレーヤ）を仮想レコーダあるいは仮想プレーヤ（または内部プレーヤ）と呼ぶ。図１の例では、リソース１７１をレコーダ専用に使用し、リソース１７２をレコーダとプレーヤに切り替え使用している。また、リソース１７３はプレーヤとタイムライン再生（編集）用に切り替えて使用し、リソース１７４はプレーヤ専用に使用している。各リソースは、ディスク１４０に対して独立にアクセスすることができる。また、ディスク１４０に対して、周知のストライピング等の手法により、見かけ上、書き込みと読み出しを同時に実行できるように構成されている。例えば、あるリソースで書き込み中のシーンデータを他のリソースで数秒の遅れで読み出すことができる。この数秒の遅れは、データの読み書きの相対的なずれを吸収するためのデータのバッファリングに相当する時間である。
【００２８】
ここで、本明細書における「タイムライン」とは複数の映像シーン（および対応する音声シーン）を時間軸上で組み合わせるカット編集の機能またはそのための作業エリアを表わし、このカット編集により作成されるものが「プレイリスト」である。プレイリストにより定まるパッケージの再生はプレーヤではなくタイムライン（ＴＬ）に割り当てられたリソースにより再生される。したがって、このリソースを「ＴＬ：タイムライン」と称することもある。
【００２９】
図５に、本実施の形態におけるディスプレイ１２の画面上に表示される基本的な編集画面（ルートウインドウと呼ぶ）の一例を示す。この画面は本システムの初期画面であり、この骨格に相当する映像データはシステム用のディスクに格納されており、種々のデータおよびパラメータの内容が画面内の各種エリア内に可変表示されるようになっている。各種エリアとしては、画面上段の左から「シーン管理」エリア、「ステータス」エリア、「オーディオ・モニタ」エリア、画面中段に「タイムデータ」エリア、画面下段に「タイムライン」エリアがある。
【００３０】
シーン管理エリアは、ディスク内に格納された映像データ（カセット、パッケージ等）の各種データを階層的に管理するためのものである。このエリアを参照しながら、目的のカセット（図１の仮想的な内部カセット１４１）やパッケージの選択、移動、複写、削除等が行える。シーン管理エリア内の右端には、シーン管理エリア内で選択されたパッケージ等の内容のリスト表示が行われるエリアがある。
【００３１】
ステータスエリアは、上述したチャンネルＡ〜Ｄの現在の割当の対象（回線、ＶＴＲ、ＴＬ、転送等）およびその状態（収録中、再生中、転送中等）を示している。図の例では、チャンネルＡがＶＴＲに、チャンネルＢがＴＬに、チャンネルＣが回線に、チャンネルＤが転送に、それぞれ割り当てられている。
【００３２】
オーディオ・モニタエリアは、オーディオの４つのトラックの現在の状態を示すためのエリアである。
【００３３】
タイムデータエリアは、タイムライン編集の対象となる各種パラメータを表示するエリアである。基準トラックの表示部、およびＴＬにおける編集対象の現在位置（ポジション）、編集対象シーンのＩＮ点、ＯＵＴ点、デュレーション、スプリット、スピードが表示される。「スプリット」とは、通常、基準トラックである映像トラックのカット点が音声トラックのシーンのカット点に対してずれている量を示す。このエリアには、さらに、ＴＬに対するソースとしてのデバイスの表示部（図ではデバイスＰＰ１が選択されている）、およびそのデバイスにおける編集対象のシーンのＩＮ点、ＯＵＴ点、デュレーションが表示される。
【００３４】
このエリアに下部には、現在ＴＬに掛けられているパッケージを構成しているシーンのＴＬ上のタイムコード、およびそのシーンの特定情報のリストを表示している。
【００３５】
タイムデータエリアの右側には、任意のデータ等を捨てるためのゴミ箱が配置されている。
【００３６】
タイムラインエリアは、与えられたパッケージの内容を時系列に表示するエリアであり、主としてこのエリアでタイムライン編集を行うことができる。タイムラインエリア内の表示は、タイムライン（時系列）表示とリスト表示とが切り替えられるようになっており、その指示はタイムラインエリアの左上にあるボタンで選択できる。図の例では、タイムライン表示が選択されている。タイムライン表示では、パッケージの先頭からの相対的な時間が時・分・秒・フィールド（またはフレーム）の形式の数値からなるタイムコードで示される。また、シーンの「上書き」および「割り込み」の選択ボタンも用意されている。時系列表示では、１本の映像のトラック（Ｖ）と、４本の音声トラック（Ａ１〜Ａ４）が表示される。図示しないが、各トラックの現在フォーカスされているシーンを強調して表示することが好ましい。Ｖトラック上の逆三角点は、現在の編集点の位置を示している。Ａ４トラックの下にあるバー表示は、タイムラインの再生の進行状況を示している。このタイムラインエリア内の横軸の縮尺は右下の虫眼鏡アイコンで可変操作できる。このバー表示の下に、全体のパッケージのどれだけの割合のどの部分が表示されているかをスクロールバー表示している。このタイムラインエリアの最下段には、タイムラインの再生等を操作するためのボタン（＜＜、＜、||、＞、＞＞）およびシーンのフォーカスを移動させるための（シーンの頭だし）ボタン（|＜、＞|）が配置されている。また、コマ送りのためのボタン（−、＋）、および後に詳述するＶＩＥＷ指示のためのＶＩＥＷボタンもある。
【００３７】
タイムラインエリアの右端には、各トラックの空白（ブランク）シーンの個数の表示部、および空白シーンの検索指示を行うボタンが配置されている。また、シーンの編集時に割り込みを行うか、上書きを行うかの選択ボタンも配置されている。
【００３８】
ルートウインドウ画面の左上の枠部には、「ファイル」や「編集」等のプルダウンメニューが配置されている。「ファイル」のメニューからファイルの作成、保存、名称変更等の操作が行える。さらに、その下には、各種操作ボタンを並べたツールバーが配置されている。
【００３９】
図６に、本実施の形態において用いる操作コントローラ１８の一例の平面図を示す。
【００４０】
操作コントローラ１８の左上の１８ｂは、右下のテンキー１８ｖでユーザが入力したタイムコードなどの数値を表示する液晶表示部である。その下のキー群１８ｃは、図５のタイムラインエリア内の操作対象のトラックを選択するためのものである。その下のＥＸＥＣキーは、後述するタイムライン編集における収録の実行指示を行うためのキーである。ＩＮＳＥＲＴキーおよびＯＶＥＲＷＲＩＴＥキーは、図５のタイムラインエリア内の「上書き」「割り込み」と同じ機能を果たす。キー群１８ｄは、操作の対象を選択するためのデバイス選択キーであり、「ＴＬ」はタイムライン、「Ｐ１」，「Ｐ２」は２台の外部ＶＴＲ、「ＰＰ１」，「ＰＰ２」は２台の内部の仮想プレーヤを表している。キー群１８ｅの中のＶＩＥＷキーは図５に示したＶＩＥＷボタンと同じである。キー群１８ｄの下のＭＡＲＫＩＮキーとＭＡＲＫＯＵＴキーは、それぞれ、ユーザがモニタを見ながら所望のＩＮ点およびＯＵＴ点をシステムに知らせるためのキーである。その下のＡＬＬＳＴＯＰキーは、操作や動作の中断を指示するためのキーである。
【００４１】
操作コントローラ１８の中央上段のキー群１８ｈは、タイムライン編集において用いる編集キーである。その下のキー群１８ｉは、カセットの選択や編集点またはシーンの頭出しを行うためのキーである。更にその下のキー群１８ｊは、１倍速再生、静止画再生、タイムコードによるサーチのためのキーである。
【００４２】
中央下部には可変速再生操作のためのダイヤル１８ａがあり、その上に、このダイヤル１８ａをシャトルダイヤルとして機能させるか、あるいは、ジョグダイヤルとして機能させるかを指示するためのキー１８ｆ，１８ｇがある。シャトルダイヤルは、その回転角度に応じて再生速度を決定するものであり、傾きを大きくするほど再生速度が速くなる。傾きを０にすると再生が静止する。ジョグダイヤルはその回転の速さに応じて再生速度を決定するものであり、早く回転させるほど再生速度が速くなる。回転を停止すると再生が静止する。現在の再生の向きはインジケータ１８ｋにより表示される。ユーザは、通常、ダイヤル１８ａの操作を、再生出力の接続されたモニタを見ながら行う。
【００４３】
操作コントローラ１８の右上のキー群１８ｍは、図５等の画面の上に表示されるＧＵＩポインタ（図示せず）の操作キーである。ＧＵＩポインタは、ＴＡＢキー、ＳＨＩＦＴＴＡＢキーにより、後述するルートウインドウ内で順次各エリアにフォーカス（反転表示等）を移動し、そのエリア内でのフォーカスの移動を矢印キーにより行う。キー群１８ｎのＳＥＴＩＮキーはＩＮ点を、ＳＥＴＯＵＴキーはＯＵＴ点をテンキーで数値入力したときの確定用のキーである。キー群１８ｏ，１８ｐについては本発明に直接関係ないので説明を省略する。
【００４４】
図７に、本実施の形態においてビデオ用ハードディスクドライブ１４０に格納される映像等のデータのフォーマットを示す。外部のＶＴＲや回線からは、１トラック分の映像データ、４トラック分の音声データ、および１トラック分のタイムコード（ＴＣ）が組として、ハードディスクドライブ１４０内の仮想的な内部カセット（図１の１４１に対応）に格納される。なお、外部ＶＴＲからのタイムコードは、その外部ＶＴＲに装填された実カセット内の映像を撮影したカメラから生成され、映像とともにテープに記録されたものである。このタイムコードはオリジナルのタイムコードと呼ぶ。
【００４５】
本明細書では、内部カセットに一度に書き込まれる連続した映像等の単位を「レコード」と呼ぶ。また、内部カセットに記録されたレコード内の着目した一部分を「シーン」と呼ぶ。このシーンは、タイムライン編集時にその開始位置であるＩＮ点および終了位置であるＯＵＴ点の情報により特定される。このＩＮ点およびＯＵＴ点のデータはディスクの中で一意に定まるアドレスであり、ここでは「フィールド番号（またはフレーム番号）」である。このＩＮ点、ＯＵＴ点のデータがユーザによりタイムコードで指定された場合には、対応するフィールド番号に変換（換算）される。
【００４６】
図７の下段に示すように、このシーン特定情報を、タイムライン上で仮想的に時系列に並べることにより、シーンのカット編集が行える。このようなカット編集により出来上がったシーンの組合せがパッケージである。ただし、パッケージは、実際には、このような複数のシーンの映像データ等（音声データを含む）の実体データを順次連続して複写したものではない。このパッケージの実体は、前述したように単なるシーンを特定する情報の集合にすぎない。このようなシーン特定情報の集合を本明細書ではプレイリストと呼んでいる。編集の完成したパッケージは、「パッケージ登録」により、名称を付けて保存することができる。この登録したパッケージは、図示しないパッケージウインドウの中に格納される。また、シーン管理エリアで確認することもできる。
【００４７】
図８に、このプレイリストの構成例を示す。プレイリストは、映像Ｖ、音声Ａ１，Ａ２，Ａ３，Ａ４の情報からなり、各面は、個々のシーンについて、そのシーンを格納した内部カセットのカセット名８１、シーン名８２、ＩＮ点８３、ＯＵＴ点８４、デュレーション（ＩＮ点からＯＵＴ点までのシーンの長さ）８５、再生速度８６を規定している。図８では、理解しやすいように、ＩＮ点およびＯＵＴ点をタイムコードの形式（時：分：秒：フィールド）で示しているが、実際にシステムが保持するのはこれをディスク内アドレスとしてのフィールド数に換算したフィールド番号である。システムは、パッケージの再生時にこのプレイリストを参照して順次該当するシーンの指定された部分をディスクから読み出すことにより、あたかもそれらのシーンが組み合わされた１本のビデオテープを再生しているかのように機能する。このようなパッケージのカット編集は、映像データ等の実体的な複写（再生および記録）動作を伴うことなく、単にシーンの特定情報の組合せで実現される。したがって、ディスク内に既に存在するレコードに基づくパッケージの作成および修正は極めて迅速に行うことができる。
【００４８】
さて、図９により、本発明における、ＶＴＲから映像等を収録する場合のシステムの概略構成および動作を説明する。この構成は図１の構成を抜粋したものである。但し、図９の切替器９６は図１には図示されていない。切替器９６は、ＶＴＲ９０からの再生出力とリソース１７３からの再生出力を切り替えてモニタ６ａへ出力するものである。この切替器９６によりＶＴＲ出力をモニタ６ａで直接観察することができる。勿論、図１に示したようにＶＴＲ出力は、モニタ６ａによらずモニタ６ｃによっても観察することができる。
【００４９】
今、ユーザは、操作制御部（１８，１２１）により、外部のＶＴＲ９０内に装着された実カセットのテープ上の複数のシーンを、本システムのディスク１４０内に順次収録する場合を想定する。この場合、単に収録するだけでなく、シーンの編集も同時に行いプレイリストを作成する。本実施の形態では外部のＶＴＲは同時に２台接続可能であり、システムではそれぞれ「Ｐ１」「Ｐ２」として区別する。
【００５０】
図１０のタイミング図により、本実施の形態での収録方式自動切替を説明するためのシステムの動作を説明する。
【００５１】
まず、ユーザの操作としては、外部のＶＴＲ９０（ここではＰ１とする）に目的の実カセットをセットする。ついで、操作コントローラ１８のデバイス選択キー「Ｐ１」を選択する。これにより、切替器９６がＶＴＲ側に切り替わる。さらに、ユーザは、ジョグまたはシャトルのキー１８ｆ，１８ｇを押してダイヤル１８ａを操作することにより目的のシーン（シーンａとする）を捜し出す。シーンの開始位置の映像をモニタ上に表示した状態で操作コントローラ１８の「ＭＡＲＫＩＮ」ボタンを押す。これにより、シーンのＩＮ点が定まる。次に、ダイヤル操作によりそのシーンａの終了位置の映像をモニタに表示した状態で操作コントローラ１８の「ＭＡＲＫＯＵＴ」ボタンを押す。これにより、シーンのＯＵＴ点が定まる。このようにして、ＶＴＲ９０の収録対象シーンの範囲がシステムに認識される。
【００５２】
次に、選択されているパッケージをタイムライン上で作成するために、操作コントローラ１８のデバイス選択キー「ＴＬ」を押す。また、既存のパッケージに追加または上書きする場合には、そのパッケージを選択する。新たなパッケージを作成する場合には、メニュー（図示せず）でパッケージの新規作成を選択する。既存パッケージに対する編集の場合には、ユーザは、そのパッケージの編集箇所を特定する。
【００５３】
以上は、図１０の時点ｔ０からｔ１の間に相当する。
【００５４】
時点ｔ１で、ユーザが操作コントローラ１８の「ＥＸＥＣ」ボタンを押すことにより、当該シーンａのディスク１４０内への複写が開始される。時点ｔ２でＶＴＲ制御は、ユーザによる操作からシステムによるノーマル速度再生に切り替わる。また、仮想レコーダ（Ｒ）によるデジタイズが開始される。この収録の開始位置は、ＶＴＲにセットされたテープ上のシーンａのＩＮ点（タイムコードＴＣ１）より予め定めた時間Δｔだけ前の位置である。この時間Δｔ分のレコード部分は「のりしろ」と呼ばれ、後に編集点の移動などの場合に備えて予め指定された範囲より余分に取り込んでおく部分である。こののりしろを設けることにより、編集点を移動するような際に空白シーンが生じるのを防止することができる。のりしろの長さはユーザが可変設定できる。前後ののりしろの時間は同じにしたが、異なってもよい。図の例では、外部ＶＴＲからのタイムコードＴＣ０は内部カセットのディスクアドレスＡＤ１０に相当する。以後、作成されるレコードの各部のアドレスとＶＴＲのタイムコードとの対応はシステムにより保持される。
【００５５】
時点ｔ３以降もＶＴＲのノーマル速度再生と仮想レコーダによるこの再生出力のデジタイズが継続される。すなわち、ベタ収録がなされる。
【００５６】
通常、ユーザは、シーンの収録後はその収録したばかりのシーンを確認するので、この間にＶＴＲ再生出力の収録はタイムコードＴＣ２よりもかなり先の位置まで進む。
【００５７】
システムは時点ｔ２以降、ベタ収録編集方式に制御を切り替える。ベタ収録編集方式では、ユーザが、確認作業の後、再度ダイヤル操作により次の収録対象となるシーンを探す際、システムはユーザに見せるＶＴＲの再生出力と等価な再生出力として、現在収録中のレコードを内部プレーヤにかけて得られる再生出力を生成する。そのため、リソース１７３（Ｐ／ＴＬ）を内部プレーヤとして用い、切替器９６をリソース１７３側へ切り換える。これにより、ユーザにはあたかも外部ＶＴＲを操作しているとみせかけて、システムはユーザの操作に従って内部プレーヤを制御する。この内部プレーヤのユーザ操作方法は、外部ＶＴＲのそれと全く同じにしておく。内部プレーヤの操作により既に収録済みのレコード内であれば、内部プレーヤの再生により新たな収録対象シーンを探すことができ、これに基づいてそのＩＮ点とＯＵＴ点とを指定できる。
【００５８】
ユーザが新たな収録対象シーンｂのＩＮ点およびＯＵＴ点を指定した後、時点ｔ６でＥＸＥＣ指示を行ったとする。ここで指定された範囲のシーンｂは、時点ｔ６より先の時点ｔ４からｔ５の間に既に収録されているので、時点ｔ６ではプレイリストにシーン特定データを追加するのみでシーンｂの追加編集は完了する。
【００５９】
その後、ユーザが再度ダイヤル操作により次の新たな収録対象シーンを探すために内部プレーヤを早送り再生したとする。このとき、内部プレーヤの再生位置が、現在収録中の最新のＶＴＲ再生位置に追いつき、追い越そうとした時点ｔ７で、システムはＶＴＲのノーマル速度再生を停止し、ＶＴＲ操作をユーザに委ねる。同時に、切替器９６をＶＴＲ側へ切り換える。また、時点ｔ７でデジタイズも停止する。結局、ディスク内には時点ｔ１から時点ｔ７までの間に相当して、新たなレコードがアドレスＡＤ１０からＡＤ１５の間に記憶される。
【００６０】
時点ｔ７以降は、時点ｔ０からの動作と同じであり、ユーザはＶＴＲ操作により次の収録対象シーン（シーンｃ）を特定する。次の時点ｔ８でユーザがＥＸＥＣ指示を行ったとき、時点ｔ１と同様の動作が行われる。すなわち、外部ＶＴＲからのリアルタイム収録編集方式の動作が行われる。時点ｔ１０でシーンｃの収録が完了した後も、時点ｔ３の場合と同様に収録が継続され、このベタ収録により新たなレコード（アドレスＡＤ１６から）が伸張していく。時点ｔ８からｔ９の間の領域はのりしろに相当する。このベタ収録は、ユーザの早送り再生操作による上記のような最新収録位置を追い越すような内部プレーヤの再生操作があるか、収録の終了指示があるまで続く。
【００６１】
なお、図１０の例では、第１のレコードの収録の途中で、ユーザによる内部プレーヤの再生位置が収録の最新位置を越える場合を示したが、越えない場合には、最後のシーンの編集まで内部プレーヤのみを利用して迅速なプレイリストの更新が行える。また、内部プレーヤの再生位置が収録の最新位置を越える場合にもすべてＶＴＲからのリアルタイム収録編集方式の場合に比べて、編集に要する総時間が短縮される。
【００６２】
図１１に、図１０の動作により得られたカセットａ内のレコードの様子を示す。カセットａには、アドレスＡＤ１０からＡＤ１５までの第１のレコードと、アドレスＡＤ１６以降の第２のレコードが格納されている。実際に編集によりプレイリストに取り込まれるシーンａ，ｂ，ｃのＩＮ点およびＯＵＴ点のデータは、それぞれ、ＡＤ１１〜ＡＤ１２、ＡＤ１３〜ＡＤ１４、ＡＤ１７〜ＡＤ１８である。シーンａの直前のＡＤ１０〜ＡＤ１１の部分が前述したのりしろ部分である。このようなプレイリストの内容を図１２に示す。
【００６３】
ユーザは、このプレイリストで定義されるパッケージをタイムライン再生することができる。すなわち、これらのシーンがプレイリストで組み合わされた態様で映像および音声が連続的に再生される。
【００６４】
図１３に、図１０で説明したような本実施の形態における収録方式の自動切替処理を実現する制御手順例を表すフローチャートを示す。この処理は、外部ＶＴＲからのタイムライン編集時に機能する。従来のリアルタイム収録編集方式と、本発明による自動切替方式のいずれかをユーザが選択できるようにしてもよい。
【００６５】
図１３の処理において、まず、ユーザの操作に従って、外部ＶＴＲを制御する（Ｓ１１）。ついで、ユーザから収録対象のシーンのＩＮ点およびＯＵＴ点の情報の入力を待機する（Ｓ１２）。ＩＮ点およびＯＵＴ点の一方に代えて、シーンの長さであるデュレーションを数値で指定してもよい。その後、ＥＸＥＣ指示があった時点で（Ｓ１３）、ＶＴＲのテープ上のＩＮ点より前の位置からノーマル速度再生を開始する（Ｓ１４）。ついで、ＩＮ点ののりしろ分だけ前の位置からデジタイズを開始し（Ｓ１５）、内部カセットに新たなレコードとして収録していく（Ｓ１６）。この際、指定されたシーンの範囲分のデジタイズが終了したら、プレイリストにそのシーンのシーン特定データを追加する。
【００６６】
デジタイズを開始した後、ユーザの操作対象を外部ＶＴＲから内部プレーヤに切り替え、内部プレーヤに現在収録中の内部カセットを装填する（Ｓ１７）。切替器９６もＰ／ＴＬ側へ切り換える。そこで、ユーザの操作に従って内部プレーヤを制御する（Ｓ１８）。
【００６７】
ユーザによる終了指示があれば（Ｓ１９）、ＶＴＲの再生および仮想レコーダによる収録をともに停止して（Ｓ２０）、この処理を終了する。
【００６８】
このユーザの操作中、内部プレーヤの再生が最新収録位置を越えるような操作がない限り（Ｓ２１、Ｎｏ）、新たなシーンのＩＮ点およびＯＵＴ点の入力があった後（Ｓ２４）、ＥＸＥＣ指示に従い（Ｓ２５）、プレイリストにそのシーンのシーン特定データを追加する（Ｓ２６）。
【００６９】
先のステップＳ１９において、内部プレーヤの再生位置が最新収録位置を越えるようなユーザの操作があったとき（Ｓ１９、Ｙｅｓ）、ＶＴＲのノーマル速度再生を停止する（Ｓ２２）。ついで、制御対象のデバイスを内部プレーヤから外部ＶＴＲへ切り替え、かつ切替器９６もＶＴＲ側へ切り替えて（Ｓ２３）、最初のステップＳ１１へ戻り、上記の手順を繰り返す。
【００７０】
以上、本発明の好適な実施例について説明したが、本発明の要旨を逸脱することなく種々の変形・変更を行うことが可能であることは、当業者には明らかであろう。
【００７１】
【発明の効果】
本発明のノンリニア映像編集システムによれば、外部ＶＴＲからのリアルタイム収録編集方式とベタ収録編集方式とを自動的に切り替えることにより、編集に要する総時間を短縮することができる。したがって、本発明は、ニュース編集等、編集に要する時間に制約がある用途に利用して顕著な効果を奏する。
【００７２】
【図面の簡単な説明】
【図１】本発明による映像編集システムの概略構成を示す説明図である。
【図２】図１のシステム内のデジタル録画再生装置１０の内部構成を示す構成図である。
【図３】図２の装置内のディスクコントローラ１２３ａの内部構成を示す模式図である。
【図４】図１のシステム内のデジタル録画再生装置内のディスクと、レコーダまたはプレーヤとして機能しうる複数の物理的なリソース（資源）との関係を示す模式図である。
【図５】本発明の実施の形態におけるディスプレイ１２上に表示される基本的な編集画面（ルートウインドウと呼ぶ）の一例を示す中間調画像を示す図である。
【図６】図１のシステムにおいて用いられる操作コントローラの一例の平面図である。
【図７】本発明の実施の形態においてビデオ用ハードディスクドライブ１４０に格納される映像等のデータのフォーマットを示す図である。
【図８】本発明の実施の形態におけるプレイリストの構成例を示す図である。
【図９】本発明の実施の形態における、ＶＴＲから映像等を収録する場合のシステムの概略構成および動作を説明するための図である。
【図１０】本発明の実施の形態での収録方式自動切替を説明するためのシステムの動作を示すタイミング図である。
【図１１】図１０の動作により得られたカセットａ内のレコードの様子を示す図である。
【図１２】図１０の動作により得られたプレイリストの内容を示す図である。
【図１３】図１０の収録方式の自動切替処理を実現する制御手順例を表すフローチャートである。
【符号の説明】
４…セレクタ、６…モニタ、８…スイッチャ、１０…デジタル録画再生装置、１２…ディスプレイ、１４…キーボード、１６…マウス、１８…操作コントローラ、８０…プレイリスト、９０…外部ＶＴＲ、９６…切替器、１１０…ＥＩＳＡバス、１２１…プロセッサカード（ＲＡＭ含む）、１２２…ディスプレイコントローラカード、１２３…ディスクコントローラカード、１２４…ゲンロックリファレンスカード、１２５…ＲＳ４２２インタフェースカード、１２６…ビデオ入力インタフェースカード、１２７…ビデオ出力インタフェースカード、１２８…オーディオ入出力インタフェースカード、１３０…デジタルビデオバス、１３３…ビデオルータ、１３５…ＳＣＳＩ−２バス、１４０…ビデオ用ハードディスクドライブ（ランダムアクセス記憶装置）、１４１…カセット、１５０…フロッピーディスクドライブ、１６０…システム用ハードディスクドライブ。
【図１】
0004229342.tif 000002
【図２】
0004229342.tif 000003
【図３】
0004229342.tif 000004
【図４】
0004229342.tif 000005
【図５】
0004229342.tif 000006
【図６】
0004229342.tif 000007
【図７】
0004229342.tif 000008
【図８】
0004229342.tif 000009
【図９】
0004229342.tif 000010
【図１０】
0004229342.tif 000011
【図１１】
0004229342.tif 000012
【図１２】
0004229342.tif 000013
【図１３】
0004229342.tif 000014